(57)【要約】【課題】既存の交直両用操作形電磁接触器を母体として、その部品一部を変更するだけで直流操作形電磁接触器を構成できるようにした組立構造を提供する。【解決手段】上下分割形の本体ケースに操作電磁石，接触子ホルダ,可動接触子,および固定接触子を装備した電磁接触器において、本体ケース１の上部フレーム３と下部フレーム２、上部フレームに搭載した接触子ホルダ８,可動接触子９,固定接触子１０を含む接点機構、および接触子ホルダに結合した可動コア５を共用部品として、交直両用操作形の電磁接触器を構成する際には、コイルを巻装した操作電磁石の固定コア，およびコイル駆動用の電子回路ユニットを搭載した下部フレームの上に上部フレームを重ねて上下フレームの間を直接結合し、直流操作形の電磁接触器を構成する際には、下部フレームに直流操作形の仕様になるコイル６を巻装した操作電磁石の固定コアを搭載した上で、電磁石の固定コアの背高差分を補完するように上部フレームと下部フレームとの間に中間フレーム１２を追加装備して組立構成する。【選択図】        図１
2006216437.tif 000002
【特許請求の範囲】
【請求項１】
上下分割形の本体ケースに操作電磁石,該電磁石の可動コアに連結した接触子ホルダ,可動接触子,および固定接触子を搭載装備した電磁接触器において、
本体ケースを構成する下部フレームと上部フレーム、該上部フレームに搭載した接触子ホルダ,可動接触子,固定接触子を含む接点機構、および操作電磁石の可動コアを共用部品として、
交直両用操作形の電磁接触器を構成する際には、コイルを巻装した操作電磁石の固定コア，およびコイル駆動用の電子回路ユニットを搭載した下部フレームの上に上部フレームを重ねて上下フレームの間を直接結合し、
直流操作形の電磁接触器を構成する際には、下部フレームに直流操作形の仕様になるコイルを巻装した操作電磁石の固定コアを搭載した上で、上部フレームと下部フレームとの間に中間フレームを介装して組立構成したことを特徴とする電磁接触器。
【請求項２】
請求項１記載の電磁接触器において、中間フレームの高さを、交直両用操作形に採用する固定コアと直流操作形に採用する固定コアとの高さの差を補完するサイズに設定したことを特徴とする電磁接触器。
【請求項３】
請求項１または２に記載の電磁接触器において、中間フレームに操作コイルの外部接続端子を備えたことを特徴とする電磁接触器。
【発明の詳細な説明】
【技術分野】
【０００１】
本発明は、電動機の運転制御システム等に適用する電磁接触器の構成に関する。
【背景技術】
【０００２】
頭記の電磁接触器については、その操作電磁石の励磁方式別に交流操作形，直流操作形の電磁接触器（標準品）のほか、交直両用操作形の電磁接触器が知られており、各操作形の製品が市場に広く展開している。
次に、前記した交流操作形電磁接触器，直流操作形電磁接触器の構成を図７，図８に示す。各図において、１は下部フレーム２と上部フレーム３からなる上下二分割構造になる電磁接触器の本体ケース、４は操作電磁石の固定コア４は可動コア、６は固定コア４に巻装した操作コイル、６ａは操作コイル６の外部接続端子、７は復帰ばね、８は可動コア５に連結した接触子ホルダ、９は接触子ホルダ８に搭載した橋絡形の可動接触子、１０は外部接続端子を兼ねた固定接触子である。
ここで、図７に示す交流操作形電磁接触器の操作電磁石（交流電磁石）は、交流励磁による鉄損，唸りを抑えるために固定コア４，可動コア５を成層鉄心で構成し、かつ磁極端面には隈取コイルを備えている。これに対して、図８に示す直流操作形電磁接触器では、操作電磁石（直流電磁石）を直流励磁することからコアを塊状鉄心で構成し、また投入時の励磁電流を低く抑えるように固定コア４に巻装した操作コイル６は巻数を増やしてコイル抵抗を大きくしており、このために固定コア４のヨーク底面から磁極面までの高さ寸法は、図７に示した交流操作形の固定コア４に比べて背高である。また、この固定コア４の高さに合わせて、本体ケース１の下部フレーム２は交流操作形の固定コア４（図７参照）より背高な構成としている。
【０００３】
一方、交直両用操作形電磁接触器は、電磁石の操作回路に整流器および励磁制御回路（ＩＣ）を組み合わせた電子回路ユニットを採用し、操作電磁石（直流電磁石）の消費電力低減と、電源の電圧変動によるコイルの焼損防止を図るようにしたものであり、そのコイル操作回路の構成，機能については特許文献１に詳しく述べられている。
次に、前記した交直両用操作形電磁接触器について、既に製品化されて市場に展開している電磁接触器の構成を図１（ａ），図２，および図４（ａ），（ｂ）を援用して説明する。すなわち、図示の交直両用操作形電磁接触器では、下部フレーム２と上部フレーム３からなる上下二分割構造の本体ケース１に操作電磁石（直流電磁石）の固定コア４，可動コア５，操作コイル６、接触子ホルダ８，可動接触子９，固定接触子１０からなる接点機構を搭載し、さらに下部フレーム２の底部（基台の裏側空間）には先記した電子回路ユニット１１が組み込まれている。なお、図中で１０ａは固定接触子１０の端子ねじ、１１ａは電子回路ユニット１１の外部接続端子、１３は補助接点ユニット（外部付属装置）であり、外部接続端子１１ａは本体ケース１の外側面に露呈したユニット部分に配備され、また付属部品としての補助接点ユニット１３は本体ケース１の側面に外付けされている。
【特許文献１】特公昭６２−５８１２１号公報
【発明の開示】
【発明が解決しようとする課題】
【０００４】
前記した交直両用操作形電磁接触器は、電磁石が直流電磁石であり、かつその操作回路に採用した電子回路ユニット１１により、電磁接触器の投入時には大きな励磁電流を流して電磁石の吸引力を高め、投入後は可動コア５を吸着状態に保持する励磁電流を低減させるようにしている。これにより、操作コイル６は図８で述べた直流操作形のように巻回数を増やす必要がなく、小形な操作電磁石で構成できる。
ところで、交直両用操作形電磁接触器は前記のような特長，利点がある反面、電子回路ユニットの採用により製品価格が高価となるほか、電磁接触器を適用する制御システムによっては、投入時の大きな励磁電流による電源電圧の変動がシステム全体に影響を及ぼす場合がある。この観点から、前記の交直両用操作形電磁接触器を母体とした系列製品として、電子回路ユニットを使用しない低価格の直流操作形電磁接触器（図８の電磁接触器に対応）が求められている。
【０００５】
本発明は上記の点に鑑みなされたものであり、先記の交直両用操作形電磁接触器を母体として、できる限り部品の共用化を図って直流操作形電磁接触器を低コストで製作できるようにした電磁接触器の組立構造を提供することを目的とする。
【課題を解決するための手段】
【０００６】
上記目的を達成するために、本発明によれば、上下分割形の本体ケースに操作電磁石,該電磁石の可動コアに連結した接触子ホルダ,可動接触子,および固定接触子を搭載装備した構成になる電磁接触器において、
本体ケースを構成する上部フレームと下部フレーム、前記上部フレームに搭載した接触子ホルダ,可動接触子,固定接触子を含む接点機構、および操作電磁石の可動コアを共用部品として、
交直両用操作形の電磁接触器を構成する際には、コイルを巻装した操作電磁石の固定コア，およびコイル駆動用の電子回路ユニットを搭載した下部フレームの上に上部フレームを重ねて上下フレームの間を直接結合し、
直流操作形の電磁接触器を構成する際には、下部フレームに直流操作形の仕様になるコイルを巻装した操作電磁石の固定コアを搭載した上で、上部フレームと下部フレームとの間に中間フレームを介装して組立構成する（請求項１）ものとし、具体的には中間フレームを次記のような態様で構成する。
（１）中間フレームの高さを、交直両用操作形に採用する固定コアと直流操作形に採用する固定コアとの高さの差を補完するサイズに設定する（請求項２）。
（２）中間フレームに操作コイルの外部接続端子を備える（請求項３）。
【発明の効果】
【０００７】
上記の構成によれば、既に製品化されている交直両用操作形電磁接触器を母体として、その操作電磁石のコイルおよび固定コアを直流操作形の仕様部品に代え、さらに本体ケースに中間フレームを追加装備することにより、そのほかの構成部品を共用して直流操作形電磁接触器を構成することができる。これにより、部品の変更に要する投資を低く抑えて交直両用操作形電磁接触器および直流操作形電磁接触器を安価に提供できる。
【発明を実施するための最良の形態】
【０００８】
以下、本発明の実施の形態を図１〜図６に示す実施例に基づいて説明する。
まず、図１（ａ），（ｂ）において、（ａ）は交直両用操作形の電磁接触器，（ｂ）は交直両用操作形電磁接触器を母体として一部の部品を変更して構成した直流操作形電磁接触器の組立構造を示している。
ここで、交直両用操作形電磁接触器は先述のように上下二分割構造になる本体ケース１の下部フレーム２には操作電磁石の固定コア４，操作コイル６，およびフレーム底部には整流器および励磁制御回路（ＩＣ）を組み合わせたコイル駆動用の電子回路ユニット１１が、また上部フレーム３には接触子ホルダ８，可動接触子９，固定接触子１０からなる接点機構、および接触子ホルダ８に連結した電磁石の可動コア５が組み込まれており、上部フレーム３を下部フレーム２の上に重ねてその間がボルト（図示せず）で連結されている。なお、この電磁接触器の外観図を図２および図４（ａ），（ｂ）に示す。
【０００９】
一方、前記の交直両用操作形電磁接触器を母体として、その電子回路ユニット１１を採用しないで構成した図１（ｂ）の直流操作形電磁接触器では、図１（ａ）における下部フレーム２，上部フレーム３，および上部フレーム３に組み込んだ接点開閉機構，操作電磁石の可動コア５を共用部品として、下部フレーム２には直流操作形の仕様になる操作コイル６を巻装した電磁石の固定コア４を搭載し、さらに下部フレーム２と上部フレーム３との間に中間フレーム１２を追加し、上中下各フレームの間をボルト連結して組立て構成しており、その外観図を図３，図５（ａ），（ｂ）に示す。
ここで、中間フレーム１２は、図６（ａ），（ｂ）で示すような角筒体であり、その高さは図１（ａ）の交直両用操作形電磁接触器に搭載した固定コア４の背高と図１（ｂ）の直流操作形電磁接触器に搭載した固定コアの背高との差分を補完する寸法に設定されている。また、周壁の一側面には上下に突き出した厚肉壁部１２ａを形成してここに操作電磁石のコイルに対する外部接続端子１２ｂを備えている。なお、１２ｃはフレーム間を連結するボルトの通し穴である。
【００１０】
そして、この直流操作形電磁接触器を組み立てるには、下部フレーム２に操作コイル６を巻装した固定コア４を組み付けた上で、下部フレーム２の上に中間フレーム１２を積み重ね、この位置で中間フレーム１２に設けた外部接続端子１２ｂに操作コイル６のリード線を接続する。さらに、中間フレーム１２の上に先記の共用部品を搭載した上部フレーム３を重ね、この状態で上部フレーム３，中間フレーム１２，下部フレーム２との間にボルトを通して一体に締結する。
上記の説明で判るように、交直両用操作形電磁接触器を母体として、その操作電磁石のコイル６および固定コア４を直流操作形の仕様部品に代え、さらに本体ケースに中間フレーム１２を追加装備することにより、そのほかの構成部品を共用して直流操作形電磁接触器を構成することができる。これにより、部品の変更に要する投資を低く抑えて交直両用操作形電磁接触器および直流操作形電磁接触器を安価に製作できる。
【図面の簡単な説明】
【００１１】
【図１】本発明の実施例による電磁接触器の組立構造図で、（ａ），（ｂ）はそれぞれ交直両用操作形，直流操作形電磁接触器の縦断面図
【図２】図１（ａ）に示した交直両用操作形電磁接触器の外観斜視図
【図３】図１（ｂ）に示した直流操作形電磁接触器の外観斜視図
【図４】図１（ａ）に示した交直両用操作形電磁接触器の外形図で、（ａ），（ｂ）はそれぞれ正面図および側面図
【図５】図１（ｂ）に示した直流操作形電磁接触器の外形図で、（ａ），（ｂ）はそれぞれ正面図および側面図
【図６】図１（ｂ）の直流操作形電磁接触器における中間フレームの構造図で、（ａ），（ｂ）はそれぞれ外形斜視図および平面図
【図７】標準的な交流操作形電磁接触器の構成断面図
【図８】標準的な直流操作形電磁接触器の構成断面図
【符号の説明】
【００１２】
１    本体ケース
２    下部フレーム
３    上部フレーム
４    操作電磁石の固定コア
５    可動コア
６    操作コイル
８    接触子ホルダ
９    可動接触子
１０    固定接触子
１１    電子回路ユニット
１２    中間フレーム
１２ｂ  外部接続端子
【図１】
2006216437.tif 000003
【図４】
2006216437.tif 000004
【図５】
2006216437.tif 000005
【図６】
2006216437.tif 000006
【図７】
2006216437.tif 000007
【図８】
2006216437.tif 000008
【図２】
2006216437.tif 000009
【図３】
2006216437.tif 000010